(57)【要約】【課題】チャンネル毎のチューナを必要とすることなく、同時に放送される複数のチャンネルの番組を記憶可能なテレビジョン放送受信装置を提供する。【解決手段】アンテナから入力されるＲＦ信号から所定のベースバンド信号を生成する第１のミキサー２０及び第１のＬＰＦ２１と、該ベースバンド信号をアナログデジタル変換してデジタルデータにするＡ／Ｄ変換部２２と、該デジタルデータを記憶するメモリ部２３と、メモリ部２３に記憶されたデジタルデータをデジタルアナログ変換してベースバンド信号にするＤ／Ａ変換部２５と、該ベースバンド信号から、ユーザが所望するチャンネルのＩＦ信号を生成する第２のＬＰＦ２６及び第２のミキサー２７と、デジタルデータに、当該デジタルデータのテレビジョン放送波を受信した時間情報を付加して、メモリ部２３に記憶させる記憶制御手段（ＣＰＵ６０，記録プログラム６２Ａ）と、を備えた。【選択図】    図２
2006332852.tif 000002
【特許請求の範囲】
【請求項１】
テレビジョン放送波のＲＦ信号から所定のベースバンド信号を生成するベースバンド信号生成手段と、
前記ベースバンド信号生成手段により生成されたベースバンド信号をアナログデジタル変換してデジタルデータにするＡ／Ｄ変換手段と、
前記Ａ／Ｄ変換手段により変換されたデジタルデータを記憶するメモリ部と、
前記メモリ部に記憶されたデジタルデータをデジタルアナログ変換してベースバンド信号にするＤ／Ａ変換手段と、
前記Ｄ／Ａ変換手段により変換されたベースバンド信号から、ユーザが所望するチャンネルのＩＦ信号を生成するＩＦ信号生成手段と、
前記デジタルデータに、当該デジタルデータのテレビジョン放送波を受信した時間情報を付加して、前記メモリ部に記憶させる記憶制御手段と、
を備えることを特徴とするテレビジョン放送受信装置。
【請求項２】
テレビジョン放送波のＲＦ信号から所定のベースバンド信号を生成するベースバンド信号生成手段と、
前記ベースバンド信号生成手段により生成されたベースバンド信号をアナログデジタル変換してデジタルデータにするＡ／Ｄ変換手段と、
前記Ａ／Ｄ変換手段により変換されたデジタルデータを記憶するメモリ部と、
前記メモリ部に記憶されたデジタルデータをデジタルアナログ変換してベースバンド信号にするＤ／Ａ変換手段と、
前記Ｄ／Ａ変換手段により変換されたベースバンド信号から、ユーザが所望するチャンネルのＩＦ信号を生成するＩＦ信号生成手段と、
を備えることを特徴とする記載のテレビジョン放送受信装置。
【請求項３】
前記Ａ／Ｄ変換手段は、目的の帯域の周波数の２倍以上の周波数でサンプリングを行うことを特徴とする請求項２に記載のテレビジョン放送受信装置。
【請求項４】
前記デジタルデータに、当該デジタルデータのテレビジョン放送波を受信した時間情報を付加して、前記メモリ部に記憶させる記憶制御手段を備えることを特徴とする請求項２又は３に記載のテレビジョン放送受信装置。
【発明の詳細な説明】
【技術分野】
【０００１】
本発明は、テレビジョン放送受信装置に関する。
【背景技術】
【０００２】
従来、テレビジョン放送受信装置は、複数のチャンネルを受信するため、複数のチューナを備え、テレビジョン放送波の中から、各チューナに各チャンネルの周波数のテレビジョン放送波を選択受信させ、受信させたテレビジョン放送波のデータの復調処理等を行い、復調処理等したデータを表示装置や音声出力装置に出力したり、メモリ部に記憶したりする（例えば、特許文献１，２）。
【０００３】
また、テレビジョン放送波として、映像データや音声データだけでなく、ＥＰＧ（Electronic  Program  Guide）と呼ばれる番組予定データ等が同時に伝送されるようになっている。そして、当該ＥＰＧデータを利用して、表示装置に番組予定表を表示させるテレビジョン放送受信装置も知られている（例えば、特許文献３）。
【０００４】
また、テレビジョン放送波の中から、番組を放送しているテレビジョン放送波を検索するチャンネルサーチを行うテレビジョン放送受信装置において、受信したテレビジョン放送波のデータの受信レベル及びノイズレベルに基づいて番組を放送しているテレビジョン放送波であるか否かを判断し、番組を放送しているテレビジョン放送波だけを確実に検索するものも知られている（例えば、特許文献４，５）。
【０００５】
ところで、テレビジョン放送受信装置では、受信したテレビジョン放送波のデータに復調処理等を行って順次メモリ部に記憶し、過去の番組であっても、視聴できるようになっている。そして、同時に放送される複数のチャンネルの番組を記憶する場合、チャンネル毎にチューナが必要となる。即ち、例えば、デジタルテレビジョン放送波には、約５０チャンネルのテレビジョン放送波が含まれているので、全チャンネルのテレビジョン放送波のデータをメモリ部に記憶するには、５０チャンネル分のチューナが必要となる。
【特許文献１】特開２００４−３３６５１８号公報
【特許文献２】特開２００３−１６３８５２号公報
【特許文献３】特開２００５−３９４８７号公報
【特許文献４】特開２００４−２６６６５８号公報
【特許文献５】特開２００５−５８９４号公報
【発明の開示】
【発明が解決しようとする課題】
【０００６】
しかしながら、チューナを各チャンネル毎に備えることとすると、コストがかかり、テレビジョン放送受信装置が非常に高価なものとなってしまう。
【０００７】
本発明の課題は、チャンネル毎のチューナを必要とすることなく、同時に放送される複数のチャンネルの番組を記憶可能なテレビジョン放送受信装置を提供することである。
【課題を解決するための手段】
【０００８】
請求項１に記載の発明は、テレビジョン放送波のＲＦ信号から所定のベースバンド信号を生成するベースバンド信号生成手段と、
前記ベースバンド信号生成手段により生成されたベースバンド信号をアナログデジタル変換してデジタルデータにするＡ／Ｄ変換手段と、
前記Ａ／Ｄ変換手段により変換されたデジタルデータを記憶するメモリ部と、
前記メモリ部に記憶されたデジタルデータをデジタルアナログ変換してベースバンド信
号にするＤ／Ａ変換手段と、
前記Ｄ／Ａ変換手段により変換されたベースバンド信号から、ユーザが所望するチャンネルのＩＦ信号を生成するＩＦ信号生成手段と、
前記デジタルデータに、当該デジタルデータのテレビジョン放送波を受信した時間情報を付加して、前記メモリ部に記憶させる記憶制御手段と、
を備えることを特徴としている。
【０００９】
請求項２に記載の発明は、テレビジョン放送波のＲＦ信号から所定のベースバンド信号を生成するベースバンド信号生成手段と、
前記ベースバンド信号生成手段により生成されたベースバンド信号をアナログデジタル変換してデジタルデータにするＡ／Ｄ変換手段と、
前記Ａ／Ｄ変換手段により変換されたデジタルデータを記憶するメモリ部と、
前記メモリ部に記憶されたデジタルデータをデジタルアナログ変換してベースバンド信号にするＤ／Ａ変換手段と、
前記Ｄ／Ａ変換手段により変換されたベースバンド信号から、ユーザが所望するチャンネルのＩＦ信号を生成するＩＦ信号生成手段と、
を備えることを特徴としている。
【００１０】
請求項３に記載の発明は、請求項２に記載のテレビジョン放送受信装置において、前記Ａ／Ｄ変換手段は、目的の帯域の周波数の２倍以上の周波数でサンプリングを行うことを特徴としている。
【００１１】
請求項４に記載の発明は、請求項２又は３に記載のテレビジョン放送受信装置において、前記デジタルデータに、当該デジタルデータのテレビジョン放送波を受信した時間情報を付加して、前記メモリ部に記憶させる記憶制御手段を備えることを特徴としている。
【発明の効果】
【００１２】
請求項１に記載の発明によれば、ベースバンド信号生成手段により、テレビジョン放送波を受信する受信部から入力されるＲＦ信号から所定のベースバンド信号が生成され、Ａ／Ｄ変換手段により、ベースバンド信号生成手段によって生成されたベースバンド信号がアナログデジタル変換されてデジタルデータにされ、メモリ部により、前記Ａ／Ｄ変換手段によって変換されたデジタルデータが記憶されるので、テレビジョン放送波のデータが、チューナによりＩＦ信号に変換され復調処理等されずにメモリ部に記憶されることとなって、チューナを各チャンネル毎に備えずとも、同時に放送される複数のチャンネルの番組をメモリ部に記憶することができる。
【００１３】
また、Ｄ／Ａ変換手段により、メモリ部に記憶されたデジタルデータがデジタルアナログ変換されてベースバンド信号にされ、ＩＦ信号生成手段により、Ｄ／Ａ変換手段によって変換されたベースバンド信号から、ユーザが所望するチャンネルのＩＦ信号が生成されるので、メモリ部に記憶されたデジタルデータからＲＦ信号を再生せずに直接ユーザが所望するチャンネルのＩＦ信号を生成することとなって、より効率的にメモリ部に記憶されたデジタルデータを再生することができる。
【００１４】
また、記憶制御手段により、デジタルデータは、当該デジタルデータのテレビジョン放送波を受信した時間情報が付加されて、メモリ部に記憶されるので、メモリ部に記憶されたデジタルデータを再生する際に、当該時間情報に基づいて再生するデジタルデータを選択することができる。
【００１５】
請求項２に記載の発明によれば、ベースバンド信号生成手段により、テレビジョン放送波を受信する受信部から入力されるＲＦ信号から所定のベースバンド信号が生成され、Ａ／Ｄ変換手段により、ベースバンド信号生成手段によって生成されたベースバンド信号がアナログデジタル変換されてデジタルデータにされ、メモリ部により、前記Ａ／Ｄ変換手
段によって変換されたデジタルデータが記憶されるので、テレビジョン放送波のデータが、チューナによりＩＦ信号に変換され復調処理等されずにメモリ部に記憶されることとなって、チューナを各チャンネル毎に備えずとも、同時に放送される複数のチャンネルの番組をメモリ部に記憶することができる。
【００１６】
また、Ｄ／Ａ変換手段により、メモリ部に記憶されたデジタルデータがデジタルアナログ変換されてベースバンド信号にされ、ＩＦ信号生成手段により、Ｄ／Ａ変換手段によって変換されたベースバンド信号から、ユーザが所望するチャンネルのＩＦ信号が生成されるので、メモリ部２３に記憶されたデジタルデータからＲＦ信号を再生せずに直接ユーザが所望するチャンネルのＩＦ信号を生成することとなって、より効率的にメモリ部に記憶されたデジタルデータを再生することができる。
【００１７】
請求項３に記載の発明によれば、請求項２に記載の発明と同様の効果が得られるのは勿論のこと、特に、Ａ／Ｄ変換手段は、目的の帯域の周波数の２倍以上の周波数でサンプリングを行うので、ＲＦ信号を再生した場合の劣化を防止することができる。
【００１８】
請求項４に記載の発明によれば、請求項２又は３に記載の発明と同様の効果が得られるのは勿論のこと、特に、記憶制御手段により、デジタルデータは、当該デジタルデータのテレビジョン放送波を受信した時間情報が付加されて、メモリ部に記憶されるので、メモリ部に記憶されたデジタルデータを再生する際に、当該時間情報に基づいて再生するデジタルデータを選択することができる。
【発明を実施するための最良の形態】
【００１９】
以下、図を参照して、本発明の実施形態に係るテレビジョン放送受信装置を実施するための最良の形態を詳細に説明する。
【００２０】
まず、本発明の実施形態に係るテレビジョン放送受信装置１００の構成について説明する。本発明に係るテレビジョン放送受信装置１００は、図１に示すように、アンテナ１，放送波記憶部２，チューナ３，信号セレクタ４，再生部５，メイン制御部６，入力部７等を備えて構成される。
【００２１】
また、テレビジョン放送受信装置１００は、表示装置２００，音声出力装置３００と接続されている。
【００２２】
アンテナ１は、パラボラアンテナやＵＨＦアンテナ等であり、テレビジョン放送波を受信し、ＲＦ（Radio  Frequency）信号を放送波記憶部２又はチューナ３に出力する。なお、ＣＡＴＶ回線を介してテレビジョン放送波を受信する場合には、アンテナ１の代わりに、接続ケーブル（図示省略）等が備えられてもよい。
【００２３】
放送波記憶部２は、第１のミキサー２０，第１のＬＰＦ（Low  Pass  Filter）２１，
Ａ／Ｄ変換部２２，メモリ部２３，制御部２４，Ｄ／Ａ変換部２５，第２のＬＰＦ２６，第２のミキサー２７等を備えて構成され、メイン制御部６からの制御信号に従って、アンテナ１により受信されたテレビジョン放送波にデジタルアナログ変換処理等を行って生成されたデジタルデータをメモリ部２３に記憶するとともに、メモリ部２３に記憶されたデジタルデータからユーザが所望するチャンネルのＩＦ信号を生成する。
【００２４】
第１のミキサー２０は、水晶発振器等を備え、アンテナ１から入力されたＲＦ信号に、目的の帯域の周波数下限が０となるように局部発振周波数をミキシングすることにより、ＲＦ信号の周波数をダウンコンバートさせた信号を生成し、第１のＬＰＦ２１に出力する。第１のＬＰＦ２１は、第１のミキサー２０から入力された信号のうち、遮断周波数以下の周波数の信号のみを通過させ、ベースバンド信号を生成し、Ａ／Ｄ変換部２２に出力する。これにより、第１のミキサー２０及び第１のＬＰＦ２１は、ベースバンド信号生成手段として機能する。
【００２５】
Ａ／Ｄ変換部２２は、第１のＬＰＦ２１から入力されたベースバンド信号をサンプリングし、アナログデジタル変換してデジタルデータを生成し、メモリ部２３に出力する。これにより、Ａ／Ｄ変換部２２は、Ａ／Ｄ変換手段として機能する。ここで、Ａ／Ｄ変換部２２におけるサンプリングは、ベースバンド信号を再生した場合の劣化を防止するため、ナイキスト周波数を考慮して、ベースバンド信号の周波数の２倍以上の周波数でサンプリングすることが望ましい。
【００２６】
メモリ部２３は、例えば、ＨＤＤ装置等により構成され、Ａ／Ｄ変換部２２から入力されたデジタルデータを順次記憶する。より具体的には、Ａ／Ｄ変換部２２から入力されるデジタルデータ及び該デジタルデータのテレビジョン放送波を受信した時間情報を記憶していく。時間情報は、所定の単位時間（例えば、数十分単位等）毎の該デジタルデータのテレビジョン放送波を受信した時刻等であり、デジタルデータに、ヘッダー情報として付加されても良いし、対比表として付加されてもよい。ここで、時間情報は、例えば、放送波記憶部２内に設けられた計時回路（図示省略）から出力される信号に基づく時間データであってもよいし、テレビジョン放送波に時間情報が含まれる場合には、その時間情報を利用してもよい。
【００２７】
また、メモリ部２３に記憶されたデジタルデータが再生される際には、該デジタルデータがＤ／Ａ変換部２５へ出力される。
【００２８】
制御部２４は、メイン制御部６からの制御信号に従って、Ａ／Ｄ変換部２２から出力されるデジタルデータに、該デジタルデータのテレビジョン放送波を受信した時間情報を付加してメモリ部２３に記憶させる制御及びメモリ部２３からＤ／Ａ変換部２５へ出力されるデジタルデータの出力の制御等を行う。これにより、制御部２４は、記憶制御手段として機能する。
【００２９】
Ｄ／Ａ変換部２５は、メモリ部２３から出力されたデジタルデータをデジタルアナログ変換してベースバンド信号を生成し、第２のＬＰＦ２６に出力する。これにより、Ｄ／Ａ変換部２５は、Ｄ／Ａ変換手段として機能する。
【００３０】
第２のＬＰＦ２６は、Ｄ／Ａ変換部２５から入力されたベースバンド信号のうち、遮断周波数以下の周波数の信号のみを通過させ、第２のミキサー２７に出力する。第２のミキサー２７は、水晶発振器等からなり、第２のＬＰＦ２６から入力された信号にユーザが所望するチャンネルの局部発振周波数をミキシングすることにより、ユーザが所望するチャンネルのＩＦ信号を生成し、信号セレクタ４に出力する。これにより、第２のＬＰＦ２６及び第２のミキサー２７は、ＩＦ信号生成手段として機能する。
【００３１】
チューナ３は、アナログチューナ若しくはデジタルチューナであり、アンテナ１から入力されたＲＦ信号からユーザが所望するチャンネルのＩＦ（Intermediate  Frequency）
信号を生成する。より具体的には、チューナ３は、入力されたＲＦ信号にユーザが所望するチャンネルの局部発振周波数をミキシングして、ＩＦ信号を生成する。チューナ３により変換されたＩＦ信号は、信号セレクタ４に出力される。
【００３２】
信号セレクタ４は、チューナ３，第２のミキサー２７等と接続され、ユーザにより入力部７が操作されることにより入力された信号に基づいて、チューナ３又は第２のミキサー２７から入力されるＩＦ信号のどちらかを選択し、再生部５に出力する。
【００３３】
再生部５は、信号セレクタ４から入力されるＩＦ信号に対して復調処理、復号処理等を行うことによって得られた映像信号および音声信号を、各々表示装置２００，音声出力装置３００へ出力する。
【００３４】
メイン制御部６は、図２に示すように、ＣＰＵ（Central  Processing  Unit）６０，
ＲＡＭ（Random  Access  Memory）６１，記憶部６２等を備えて構成される。メイン制御部６は、第１のミキサー２０，第１のＬＰＦ２１，Ａ／Ｄ変換部２２，メモリ部２３，制御部２４，Ｄ／Ａ変換部２５，第２のＬＰＦ２６，第２のミキサー２７，チューナ３，信号セレクタ４，再生部５，入力部７等と接続され、テレビジョン放送受信装置１００の各部の制御を行う。
【００３５】
ＣＰＵ６０は、記憶部６２に格納された処理プログラム等を読み出して、ＲＡＭ６１に展開して実行することにより、テレビジョン放送受信装置１００全体の制御を行う。
【００３６】
ＲＡＭ６１は、ＣＰＵ６０により実行された処理プログラム等を、ＲＡＭ６１内のプログラム格納領域に展開するとともに、入力データや上記処理プログラムが実行される際に生じる処理結果等をデータ格納領域に格納する。
【００３７】
記憶部６２は、例えば、プログラムやデータ等が予め記憶されている記録媒体（図示せず）を有しており、この記録媒体は、例えば、半導体メモリ等で構成されている。また、記憶部６２は、ＣＰＵ６０がテレビジョン放送受信装置１００全体を制御する機能を実現させるための各種データ，各種処理プログラム，これらプログラムの実行により処理されたデータ等を記憶する。より具体的には、記憶部６２は、例えば、図２に示すように、記録プログラム６２Ａ，通常放送プログラム６２Ｂ，再生プログラム６２Ｃ等を格納している。
【００３８】
記録プログラム６２Ａは、例えば、ＣＰＵ６０に、第１のミキサー２０及び第１のＬＰＦ２１を制御して、アンテナ１から入力されるＲＦ信号から所定のベースバンド信号を生成させ、Ａ／Ｄ変換部２２を制御して、ベースバンド信号をデジタルデータに変換させ、制御部２４を制御して、デジタルデータに該デジタルデータのテレビジョン放送波を受信した時間情報を付加してメモリ部２３に記憶させる機能を実現させるプログラムである。ＣＰＵ６０は、かかる記録プログラム６２Ａを実行することにより、記憶制御手段として機能する。
【００３９】
通常放送プログラム６２Ｂは、例えば、ＣＰＵ６０に、チューナ３を制御して、アンテナ１から入力されるＲＦ信号からユーザが所望するチャンネルのＩＦ信号を生成させ、信号セレクタ４を制御して、チューナ３からのＩＦ信号を再生部５に出力させ、再生部５を制御して、信号セレクタ４から入力されるＩＦ信号に対して復調処理等を行わせることにより得られた映像信号や音声信号を、各々表示装置２００，音声出力装置３００へ出力させる機能を実現させるプログラムである。
【００４０】
再生プログラム６２Ｃは、例えば、ＣＰＵ６０に、制御部２４を制御して、ユーザが後述する入力部７の選択キー（図示省略）を押下することにより指定された番組の放送時間のデジタルデータをＤ／Ａ変換部２５に出力させ、Ｄ／Ａ変換部２５を制御して、メモリ部２３から出力されたデジタルデータをデジタルアナログ変換させてベースバンド信号を生成させ、第２のＬＰＦ２６を制御して、Ｄ／Ａ変換部２５から入力されるベースバンド信号のうち遮断周波数以下の信号のみを第２のミキサー２７に出力させ、局部発振周波数を調節することにより第２のミキサー２７を制御して、第２のＬＰＦ２６から入力される信号からユーザが所望するチャンネルのＩＦ信号を生成させ、信号セレクタ４を制御して、第２のミキサー２７から入力されるＩＦ信号を再生部５に出力させ、再生部５を制御して、信号セレクタ４から入力されるＩＦ信号に復調処理等を行わせ、表示装置２００，音声出力装置３００に出力させる機能を実現させるプログラムである。
【００４１】
入力部７は、テレビジョン放送受信装置１００に各種操作に関する入力信号を入力するためのキー等を備え、ユーザにより操作されることにより、各種操作の入力信号がテレビジョン放送受信装置１００に入力される。また、入力部７は、ユーザがメモリ部２３に記憶された番組を選択するための選択キー（図示省略）を備える。
【００４２】
次に、上述のような構成の本発明の実施形態に係るテレビジョン放送受信装置１００の動作について、図３，図４に示すフローチャートを参照しながら説明する。
【００４３】
まず、テレビジョン放送受信装置１００のテレビジョン放送波の受信からメモリ部２３へのデジタルデータの記憶までの動作について、図３に示すフローチャートを参照しながら説明する。
【００４４】
まず、ＣＰＵ６０は、記録プログラム６２Ａを実行することにより、第１のミキサー２０を制御して、アンテナ１から入力されたＲＦ信号に局部発振周波数をミキシングさせることにより、該ＲＦ信号の周波数をダウンコンバートさせた信号を生成させる（ステップＳ１）。
【００４５】
次に、ＣＰＵ６０は、第１のＬＰＦ２１を制御して、第１のミキサー２０から入力された信号のうち、遮断周波数以下の周波数の信号のみを通過させ、ベースバンド信号を生成させる（ステップＳ２）。
【００４６】
次に、ＣＰＵ６０は、Ａ／Ｄ変換部２２を制御して、第１のＬＰＦ２１から入力されたベースバンド信号の全帯域を該ベースバンド信号の帯域の周波数の２倍以上の周波数でサンプリングさせ、アナログデジタル変換させてデジタルデータを生成させる（ステップＳ３）。
【００４７】
次に、ＣＰＵ６０は、制御部２４を制御して、Ａ／Ｄ変換部２２から入力されたデジタルデータと、該デジタルデータのテレビジョン放送波を受信した時間情報とをメモリ部２３に記憶させる（ステップＳ４）。
【００４８】
次に、テレビジョン放送受信装置１００の現在受信している放送の出力及びメモリ部２３に格納されているデジタルデータの出力の動作について、図４に示すフローチャートを参照しながら説明する。
【００４９】
まず、ＣＰＵ６０は、通常放送プログラム６２Ｂを実行して、チューナ３を制御して、アンテナ１から入力されたＲＦ信号にユーザが所望するチャンネルの局部発振周波数をミキシングさせて、ＩＦ信号を生成させ、信号セレクタ４を制御して、チューナ３から入力されるＩＦ信号を再生部５に出力させ、再生部５を制御して、信号セレクタ４から入力されるＩＦ信号に対して復調処理等を行わせることにより得られた映像信号や音声信号を、各々表示装置２００，音声出力装置３００へ出力させる（ステップＳ１０１）。
【００５０】
次に、ＣＰＵ６０は、ユーザが入力部７の選択キー（図示省略）を押下することにより入力される選択信号に基づいて、ユーザによるメモリ部に記憶された番組の選択があったか否かを判断する（ステップＳ１０２）。
【００５１】
ステップＳ１０２において、ＣＰＵ６０が、入力部７からの選択信号が入力されていないと判断した場合には（ステップＳ１０２；Ｙｅｓ）、ステップＳ１０１に戻る。
【００５２】
一方、ステップＳ１０２において、ＣＰＵ６０が、入力部７からの選択信号が入力されたと判断した場合には（ステップＳ１０２；Ｎｏ）、ＣＰＵ６０は、再生プログラム６２Ｃを実行することにより、制御部２４を制御して、メモリ部２３からユーザにより選択さ
れた番組の放送時間のデジタルデータをＤ／Ａ変換部２５に出力させ、Ｄ／Ａ変換部２５を制御して、メモリ部２３から出力されたデジタルデータをデジタルアナログ変換させてベースバンド信号を生成させる（ステップＳ１０３）。
【００５３】
次に、ＣＰＵ６０は、第２のＬＰＦ２６を制御して、Ｄ／Ａ変換部２５により生成されたベースバンド信号のうち、遮断周波数以下の周波数の信号のみを通過させ、第２のミキサー２７に出力する（ステップＳ１０４）。
【００５４】
次に、ＣＰＵ６０は、第２のミキサー２７を制御して、入力されたベースバンド信号にユーザが再生したい番組のチャンネルのＩＦ信号を生成するための局部発振周波数をミキシングさせることにより、ユーザが所望するチャンネルのＩＦ信号を生成させる（ステップＳ１０５）。
【００５５】
次に、ＣＰＵ６０は、信号セレクタ４を制御して、第２のミキサー２７から入力されるＩＦ信号を再生部５に出力させる（ステップＳ１０６）。
【００５６】
次に、ＣＰＵ６０は、再生部５を制御して、信号セレクタ４から入力されるＩＦ信号に対して復調処理等を行わせることにより得られた映像信号や音声信号を、各々表示装置２００，音声出力装置３００へ出力させる（ステップＳ１０７）。
【００５７】
以上に説明した、本実施形態に係るテレビジョン放送受信装置１００によれば、第１のミキサー２０及び第１のＬＰＦ２１により、テレビジョン放送波を受信するアンテナ１から入力されるＲＦ信号から所定のベースバンド信号が生成され、Ａ／Ｄ変換部２２により、第１のミキサー２０及び第１のＬＰＦ２１によって生成されたベースバンド信号がアナログデジタル変換されてデジタルデータにされ、メモリ部２３により、Ａ／Ｄ変換部２２によって変換されたデジタルデータが記憶されるので、テレビジョン放送波のデータが、チューナによりＩＦ信号に変換され復調処理等されずにメモリ部２３に記憶されることとなって、チューナ３を各チャンネル毎に備えずとも、同時に放送される複数のチャンネルの番組をメモリ部２３に記憶することができる。
【００５８】
また、Ｄ／Ａ変換部２５により、メモリ部２３に記憶されたデジタルデータがデジタルアナログ変換されてベースバンド信号にされ、第２のミキサー２７及び第２のＬＰＦ２６により、Ｄ／Ａ変換部２５によって変換されたベースバンド信号から、ユーザが所望するチャンネルのＩＦ信号が生成されるので、メモリ部２３に記憶されたデジタルデータからＲＦ信号を再生せずに直接ユーザが所望するチャンネルのＩＦ信号を生成することとなって、より効率的にメモリ部２３に記憶されたデジタルデータを再生することができる。
【００５９】
また、Ａ／Ｄ変換部２２は、目的の帯域の周波数の２倍以上の周波数でサンプリングを行うので、ＲＦ信号を再生した場合の劣化を防止することができる。
【００６０】
また、ＣＰＵ６０が記録プログラム６２Ａを実行することにより、デジタルデータは、当該デジタルデータのテレビジョン放送波を受信した時間情報が付加されて、メモリ部２３に記憶されるので、メモリ部２３に記憶されたデジタルデータを再生する際に、当該時間情報に基づいて再生するデジタルデータを選択することができる。
【００６１】
なお、本実施形態では、第２のミキサー２７により、第２のＬＰＦ２６から入力されるベースバンド信号からユーザが所望するチャンネルのＩＦ信号が生成されることとしたが、第２のミキサー２７により、ベースバンド信号からＲＦ信号が再生されるように構成してもよい。この場合には、第２のミキサー２７により再生されたＲＦ信号は、チューナ３に出力され、チューナ３により、該ＲＦ信号からユーザが所望するＩＦ信号が生成される。
【図面の簡単な説明】
【００６２】
【図１】本発明に係るテレビジョン放送受信装置の要部構成を示すブロック図である。
【図２】本発明に係るメイン制御部の構成を説明するブロック図である。
【図３】本発明に係るテレビジョン放送受信装置の動作を説明するフローチャートである。
【図４】本発明に係るテレビジョン放送受信装置の動作を説明するフローチャートである。
【符号の説明】
【００６３】
２０  第１のミキサー（ベースバンド信号生成手段）
２１  第１のＬＰＦ（ベースバンド信号生成手段）
２２  Ａ／Ｄ変換部（Ａ／Ｄ変換手段）
２３  メモリ部
２４  制御部（記憶制御手段）
２５  Ｄ／Ａ変換部（Ｄ／Ａ変換手段）
２６  第２のＬＰＦ（ＩＦ信号生成手段）
２７  第２のミキサー（ＩＦ信号生成手段）
６０  ＣＰＵ（記憶制御手段）
６２Ａ  記録プログラム（記憶制御手段）
１００  テレビジョン放送受信装置
【図１】
2006332852.tif 000003
【図２】
2006332852.tif 000004
【図３】
2006332852.tif 000005
【図４】
2006332852.tif 000006